(57)【要約】【課題】外箱の周りにスペースを必要とせず、かつ、洗濯物を出し入れするときの作業性を向上できる洗濯機を提供する。【解決手段】開口部６を有する外箱１には、外箱１の開口部６に対向する開口部８を有する水槽２が配置されている。外箱１の開口部６は、外箱１に対して上下方向にスライド可能な外部ドア７によって開閉される。水槽２の前面には回動自在に蓋体９が取り付けられ、蓋体９によって水槽２の開口部を開閉する。蓋体９の回動軸に対して略平行な方向に関する蓋体９の長さは、蓋体９の回動軸に対して略垂直な方向に関する蓋体９の長さよりも短くなっている。【選択図】図１
2006223539.tif 000002
【特許請求の範囲】
【請求項１】
第１開口部を有する外箱と、
上記外箱内に配置され、上記外箱の第１開口部に対向する第２開口部を有する水槽と、
上記水槽内に回転自在に配置され、洗濯物を収容する回転ドラムと、
上記外箱に対してスライドして上記外箱の第１開口部を開閉する第１蓋体と、
上記水槽に回動自在に取り付けられ、上記水槽の第２開口部を開閉する第２蓋体と
を備え、
上記第２蓋体の回動軸に対して略平行な方向に関する上記第２蓋体の長さは、上記第２蓋体の回動軸に対して略垂直な方向に関する上記第２蓋体の長さよりも短いことを特徴とするドラム式洗濯機。
【請求項２】
請求項１に記載のドラム式洗濯機において、
上記第２蓋体は略楕円形状であることを特徴とするドラム式洗濯機。
【請求項３】
請求項１に記載のドラム式洗濯機において、
上記水槽の第２開口部の周縁には凸形状のシール部材が設けられ、
上記第２蓋体は
窓ガラスと、
上記窓ガラスの外縁部に設けられた前蓋と、
上記窓ガラスの外縁部に設けられ、上記前蓋とで上記窓ガラスを挟持する後ろ蓋と
を有し、
上記後ろ蓋は、上記シール部材を覆うように凹形状に形成されていることを特徴とするドラム式洗濯機。
【請求項４】
請求項１に記載のドラム式洗濯機において、
上記水槽の第２開口部の周縁にはシール部材が設けられ、
上記水槽の第２開口部は円形状であり、
上記第２蓋体の回動軸に対して略平行な方向に関する上記第２蓋体の長さは上記シール部材の直径よりも長く、
上記第２蓋体の回動軸に対して略垂直な方向に関して、上記第２蓋体の一方の縁部には、上記第２蓋体を上記水槽に回動自在に連結するヒンジ部が設けられていると共に、上記第２蓋体の他方の縁部には、上記第２蓋体の開閉操作のための取っ手部と、この取っ手部に連動するラッチ部とが設けられていることを特徴とするドラム式洗濯機。
【請求項５】
請求項４に記載のドラム式洗濯機において、
上記水槽の第２開口部は凸形状となっており、
上記水槽の第２開口部の径方向外側に、上記ラッチ部を係止する蓋ロックが配置されていることを特徴とするドラム式洗濯機。
【発明の詳細な説明】
【技術分野】
【０００１】
本発明はドラム式洗濯機に関する。
【背景技術】
【０００２】
従来、ドラム式洗濯乾燥機としては、特許文献１（特開２００１−１４９６８９号公報）に開示されたものがある。このドラム式洗濯機は、図４に示すように、外箱１０１の前面に洗濯物出し入れ口１０２を設け、この洗濯物出し入れ口１０２を開閉するための外部ドア１０３を外箱１０１にヒンジで回動自在に取り付けている。
【０００３】
上記従来のドラム式洗濯機では、外部ドア１０３をヒンジを中心に前方に開いて、洗濯物出し入れ口１０２を通して洗濯物を出し入れするが、このとき、外部ドア１０３は外箱１０１から前方に向って突出した状態となる。このため、上記ドラム式洗濯機を使用するには、外箱１０１を配置するためのスペースの他に、外部ドア１０３を前方に開くためのスペースが必要である。そのため、上記ドラム式洗濯機は、外箱１０１の周りのスペースが小さいと、使用することができないという問題がある。
【０００４】
また、上記従来のドラム式洗濯機では、外部ドア１０３が開いて前方に突出した状態で洗濯物の出し入れを行わなければならないため、この外箱１０１の前方に開いている外部ドア１０３が、洗濯物を出し入れするときの作業の邪魔になるという問題がある。
【特許文献１】特開２００１−１４９６８９号公報
【発明の開示】
【発明が解決しようとする課題】
【０００５】
そこで、本発明の課題は、外箱の周りに大きなスペースを必要とせず、かつ、洗濯物を出し入れするときの作業性を向上できる洗濯機を提供することにある。
【課題を解決するための手段】
【０００６】
上記課題を解決するため、本発明のドラム式洗濯機は、
第１開口部を有する外箱と、
上記外箱内に配置され、上記外箱の第１開口部に対向する第２開口部を有する水槽と、
上記水槽内に回転自在に配置され、洗濯物を収容する回転ドラムと、
上記外箱に対してスライドして上記外箱の第１開口部を開閉する第１蓋体と、
上記水槽に回動自在に取り付けられ、上記水槽の第２開口部を開閉する第２蓋体と
を備え、
上記第２蓋体の回動軸に対して略平行な方向に関する上記第２蓋体の長さは、上記第２蓋体の回動軸に対して略垂直な方向に関する上記第２蓋体の長さよりも短いことを特徴としている。
【０００７】
上記構成のドラム式洗濯機によれば、上記第１蓋体は外箱に対してスライドして外箱の第１開口部を開閉するので、従来の回動式のドアとは異なって、第１蓋体が外箱の前方に突出しない。したがって、上記外箱の前方に大きなスペースを必要とせず、小さな空きスペースでこの洗濯機を使用できる。
【０００８】
また、上記第１蓋体が外箱の前方に突出しないから、洗濯物を出し入れするとき、第１蓋体が使用者の邪魔にならず、洗濯物を出し入れするときの作業性を向上できる。
【０００９】
また、上記第２蓋体の回動軸に対して略平行な方向に関する第２蓋体の長さが、第２蓋体の回動軸に対して略垂直な方向に関する第２蓋体の長さよりも短いので、第２蓋体の回動軸に対して略平行な方向に関する外箱の第１開口部の長さを短くできる。したがって、上記第１蓋体を第２蓋体の回動軸に対して略平行な方向にスライドさせることにより、第１蓋体のスライド距離を短くできるから、製品高さを低くして、製品の設置性を向上させることができ、かつ、製造コストを低減することができる。
【００１０】
また、上記第２蓋体の回動軸に対して略垂直な方向が外箱の天面に対して略平行である場合、第２蓋体の回動軸に対して略平行な方向に関する第２蓋体の長さが、第２蓋体の回動軸に対して略垂直な方向に関する第２蓋体の長さよりも短いので、第２蓋体の中心位置を外箱の天面に近づけることができる。つまり、上記第２蓋体の中心位置は、例えば真円形状の蓋体の中心位置よりも高くできる。したがって、上記水槽の第２開口部の中心位置を高くできる。
【００１１】
また、上記第２蓋体の中心位置を高くできるので、外箱の第１開口部の中心位置も高くできる。つまり、上記外箱の第１開口部の上端と外箱の天面との間の距離を短くできる。
【００１２】
また、上記外箱の第１開口部の中心位置を高くでき、かつ、水槽の第２開口部の中心位置を高くできるので、使用者は立った状態で第２蓋体の開閉や洗濯物の出し入れを容易に行うことができる。
【００１３】
また、上記第２蓋体の回動軸に対して略垂直な方向に関する外箱の第１開口部の長さを、第２蓋体の回動軸に対して略垂直な方向に関する第２蓋体の長さよりも長くすることにより、第２蓋体の回動可能な角度を大きくできる。
【００１４】
一実施形態のドラム式洗濯機では、上記第２蓋体は略楕円形状である。
【００１５】
上記実施形態のドラム式洗濯機によれば、上記第２蓋体が略楕円形状であるから、第２蓋体が使用者に与える圧迫感は小さい。
【００１６】
一実施形態のドラム式洗濯機では、
上記水槽の第２開口部の周縁には凸形状のシール部材が設けられ、
上記第２蓋体は
窓ガラスと、
上記窓ガラスの外縁部に設けられた前蓋と、
上記窓ガラスの外縁部に設けられ、上記前蓋とで上記窓ガラスを挟持する後ろ蓋と
を有し、
上記後ろ蓋は、上記シール部材を覆うように凹形状に形成されている。
【００１７】
上記実施形態のドラム式洗濯機によれば、上記水槽の端面から突出するように第２蓋体を水槽に取り付けている場合、後ろ蓋が凹形状に形成されてシール部材を覆うから、水槽の端面に対する第２蓋体の突出量を小さくできる。その結果、上記外箱の第１開口部と水槽の第２開口部との間の距離が短くなるので、使用者は回転ドラム内の奥まで容易に手が届き、洗濯物の取り出しが簡単になる。
【００１８】
一実施形態のドラム式洗濯機では、
上記水槽の第２開口部の周縁にはシール部材が設けられ、
上記水槽の第２開口部は円形状であり、
上記第２蓋体の回動軸に対して略平行な方向に関する上記第２蓋体の長さは上記シール部材の直径よりも長く、
上記第２蓋体の回動軸に対して略垂直な方向に関して、上記第２蓋体の一方の縁部には、上記第２蓋体を上記水槽に回動自在に連結するヒンジ部が設けられていると共に、上記第２蓋体の他方の縁部には、上記第２蓋体の開閉操作のための取っ手部と、この取っ手部に連動するラッチ部とが設けられている。
【００１９】
上記実施形態のドラム式洗濯機によれば、上記第２蓋体の回動軸に対して略垂直な方向に関する第２蓋体の一方の縁部にヒンジ部を設けるから、ヒンジ部の形状の自由度を向上できる。
【００２０】
また、上記第２蓋体の回動軸に対して略垂直な方向に関する第２蓋体の他方の縁部に取っ手部およびラッチ部を設けるから、取っ手部およびラッチ部の形状の自由度を向上できる。
【００２１】
一実施形態のドラム式洗濯機では、
上記水槽の第２開口部は凸形状となっており、
上記水槽の第２開口部の径方向外側に、上記ラッチ部を係止する蓋ロックが配置されている。
【００２２】
上記実施形態のドラム式洗濯乾燥機によれば、上記水槽の第２開口部は凸形状となっているから、その第２開口部の径方向外側にスペースが得られる。このように、上記第２開口部の径方向外側にスペースが得られるので、水槽の第２開口部の径方向外側に蓋ロックを配置しても、製品の大型化を防ぐことができる。
【発明の効果】
【００２３】
本発明のドラム式洗濯機は、第１蓋体は外箱に対してスライドして外箱の第１開口部を開閉するので、従来の回動式のドアとは異なって、第１蓋体が外箱の前方に突出しない。したがって、上記外箱の前方に大きなスペースを必要とせず、小さな空きスペースでこの洗濯機を使用できる。
【００２４】
また、上記第１蓋体が外箱の前方に突出しないから、洗濯物を出し入れするとき、第１蓋体が使用者の邪魔にならず、洗濯物を出し入れするときの作業性を向上できる。
【００２５】
また、第２蓋体の回動軸に対して略平行な方向に関する第２蓋体の長さが、第２蓋体の回動軸に対して略垂直な方向に関する第２蓋体の長さよりも短いので、第２蓋体の回動軸に対して略平行な方向に関する外箱の第１開口部の長さを短くできる。したがって、上記第１蓋体を第２蓋体の回動軸に対して略平行な方向にスライドさせることにより、第１蓋体のスライド距離を短くできるから、製品高さを低くして、製品の設置性を向上させることができ、かつ、製造コストを低減することができる。
【００２６】
また、上記第２蓋体の回動軸に対して略垂直な方向が外箱の天面に対して略平行である場合、第２蓋体の回動軸に対して略平行な方向に関する第２蓋体の長さが、第２蓋体の回動軸に対して略垂直な方向に関する第２蓋体の長さよりも短いので、例えば真円形状の蓋体の中心位置よりも、第２蓋体の中心位置を高くできる。したがって、上記水槽の第２開口部の中心位置を高くできる。
【００２７】
また、上記第２蓋体の中心位置を高くできるので、外箱の第１開口部の中心位置も高くできる。
【００２８】
また、上記外箱の第１開口部の中心位置を高くでき、かつ、水槽の第２開口部の中心位置を高くできるので、使用者は立った状態で第２蓋体の開閉や洗濯物の出し入れを容易に行うことができる。
【００２９】
また、上記第２蓋体の回動軸に対して略垂直な方向に関する外箱の第１開口部の長さを、第２蓋体の回動軸に対して略垂直な方向に関する第２蓋体の長さよりも長くすることにより、第２蓋体の回動可能な角度を大きくできる。
【発明を実施するための最良の形態】
【００３０】
以下、本発明のドラム式洗濯機を図示の実施の形態により詳細に説明する。
【００３１】
図１に、本発明の一実施の形態のドラム式洗濯機の概略縦断面図を示す。
【００３２】
上記ドラム式洗濯機は、外箱１と、この外箱１内に配置された水槽２と、この水槽２内に回転自在に配置された回転ドラム３と、この回転ドラム３を回転させる駆動機構４と、水槽２を弾性支持するサスペンション５とを備えている。
【００３３】
上記外箱１の前面には略四角形状の開口部６が設けられており、この外箱１の開口部６を通して洗濯物の出し入れを行える。上記外箱１の開口部６は、外箱１に対して上下方向にスライド可能な外部ドア７によって開閉される。この外部ドア７のスライドは使用者の手によって行われる。つまり、上記外部ドア７は手動式のスライドドアである。例えば、上記外箱１の開口部６を開放させる場合、使用者は外部ドア７を矢印方向に手動でスライドさせる。なお、上記開口部６が第１開口部の一例であり、外部ドア７が第１蓋体の一例である。
【００３４】
上記水槽２は有底筒形状で、その開口部８が少し斜め上方を向くように若干傾斜して横向き配置されている。上記水槽２の開口部８と外箱１の開口部６とは互いに離隔して対向している。また、上記水槽２の前面には、略楕円形状のヒンジ式の蓋体９が回動自在に取り付けられている。また、上記水槽２の開口部８の径方向外側には板形状の弾性部材１０が配置されている。この弾性部材１０が水槽２の開口部８と外箱１の開口部６との間に位置しているので、使用者が水槽２の開口部８と外箱１の開口部６との間を通して外箱１内を見れないようになっている（図３Ｂ参照）。なお、上記開口部８の第２開口部の一例であり、蓋体９が第２蓋体の一例である。
【００３５】
上記回転ドラム３は、回転ドラム３の回転軸が水平方向に対して角度５°〜３０°だけ後ろ側（回転ドラム３の奥側）が下がるように傾斜して配置されている。これにより、使用者がドラム式洗濯機の前面側に立ってドラム式洗濯機を操作する際に、見下ろすようにして容易に回転ドラム３の奥まで見通せる。
【００３６】
なお、図１の１９は、上記ドラム式洗濯機の動作を制御する制御装置である。
【００３７】
図２に、上記水槽２および蓋体９の概略縦断面の端面図を示す。
【００３８】
上記水槽２の開口部８は水槽２の前面に対して凸形状となっており、開口部８の内周面から開口部８の縁部に渡って凸形状のシール部材１４が固着されている。
【００３９】
上記蓋体９は、水槽２内に向かって突出する透明な窓ガラス１１と、この窓ガラス１１の外縁部の前面に接触する前蓋１２と、その窓ガラス１１の外縁部の後面に接触する後ろ蓋１３とを有している。上記窓ガラス１１は前蓋１２と後ろ蓋１３とで挟持されている。また、上記後ろ蓋１３は、シール部材１４の前端部を覆うように凹形状に形成されている。
【００４０】
図３Ａに、上記外箱１の開口部６の概略正面図を示す。また、図３Ｂに、上記ドラム式洗濯機の前部の概略横断面の端面図を示す。なお、図３Ａでは、上記シール部材１４の先端（前側の端）を含む面内におけるシール部材１４の外周縁を点線で示している。
【００４１】
図３Ａに示すように、上記蓋体９の回動軸に対して略垂直な方向に関する蓋体９の長さＬ１は、蓋体９の回動軸に対して略垂直な方向に関する外箱１の開口部６の長さＬ３よりも短くなっている。逆に言えば、上記蓋体９の回動軸に対して略垂直な方向に関する外箱１の開口部６の長さＬ３が、蓋体９の回動軸に対して略垂直な方向に関する蓋体９の長さＬ１よりも長くなっている。また、上記蓋体９の回動軸に対して略平行な方向に関する蓋体９の長さＬ２は、蓋体９の回動軸に対して略垂直な方向に関する蓋体９の長さＬ１よりも短く、かつ、シール部材１４の内径よりも長くなっている。また、上記窓ガラス１１の外径もシール部材１４の内径より長くなっている。
【００４２】
図３Ｂに示すように、上記蓋体９の回動軸に対して略垂直な方向に関して、蓋体９の一方の縁部には、蓋体９を水槽２に回動自在に連結するヒンジ部１５が設けられていると共に、蓋体９の他方の縁部には、蓋体９の開閉操作のための取っ手部１６と、この取っ手部１６に連動するラッチ部１７とが設けられている。図示されていなが、上記ラッチ部１７の先端には係止爪が設けられている。
【００４３】
また、上記水槽２の開口部８が水槽２の前面に対して凸形状となっていることで、水槽２の開口部８の径方向外側に高さｈのスペースが得られる。このスペースに蓋ロック１８が配置され、この蓋ロック１８にラッチ部１７の上記係止爪が係止される。より詳しくは、上記ラッチ部１７の係止爪は蓋ロック１８内の係止部２０に係止される。上記ラッチ部１７の係止爪が蓋ロック１８内の係止部２０に係止されると、蓋ロック１８内のコイルバネ（図示せず）が係止部２０を水槽２の内部側へ付勢するようになっている。
【００４４】
なお、上記係止部２０に対するラッチ部１７の係止爪の係止は取っ手部１６の操作で解除できる。また、上記制御装置１９によって蓋体９をロックすることができる。つまり、上記制御装置１９から蓋ロック１８へ制御信号を送って、取っ手部１６が操作されても、係止部２０に対するラッチ部１７の係止爪の係止が解除されないようにできる。
【００４５】
上記構成のドラム式洗濯機によれば、図１に示すように、外部ドア７は外箱１に対して上下方向にスライドして外箱１の開口部６を開閉するので、従来の回動式のドアとは異なって、外部ドア７が外箱１の前方に突出しない。したがって、上記外箱１の前方に大きなスペースを必要とせず、小さな空きスペースでこの洗濯機を使用できる。
【００４６】
また、上記外部ドア７が外箱１の前方に突出しないから、洗濯物を出し入れするとき、外部ドア７が使用者の邪魔にならず、洗濯物を出し入れするときの作業性を向上できる。
【００４７】
また、図３Ａに示すように、上記蓋体９の回動軸に対して略平行な方向に関する蓋体９の長さＬ２が、蓋体９の回動軸に対して略垂直な方向に関する蓋体９の長さＬ１よりも短いので、蓋体９の回動軸に対して略平行な方向に関する外箱１の開口部６の長さＬ４を短くできる。その結果、上記外部ドア７のスライド距離が短くなるから、製品高さを低くして、製品の設置性を向上させることができ、かつ、製造コストを低減することができる。
【００４８】
また、上記略楕円形状の蓋体９の回動軸に対して略平行な方向に関する蓋体９の長さＬ２が、蓋体９の回動軸に対して略垂直な方向に関する蓋体９の長さＬ１よりも短いので、上記略楕円形状の蓋体９の中心位置を外箱１の天面に近づけることができる。つまり、上記蓋体９の中心位置を、略楕円形状の蓋体９と同じ面積を有する真円形状の蓋体の中心位置に比べて、高くできる。したがって、上記水槽２の開口部８の中心位置を高くできる。したがって、上記水槽２の開口部８における作業者の洗濯物の出し入れが容易になる。
【００４９】
また、上記蓋体９の中心位置を高くできるので、外箱１の開口部６の中心位置を高くできる。つまり、上記外箱１の開口部６の上端と外箱１の天面との間の距離を短くできる。
【００５０】
また、上記外箱１の開口部６の中心位置を高くでき、かつ、水槽２の開口部８の中心位置を高くできるので、使用者は立った状態で蓋体９の開閉や洗濯物の出し入れを容易に行うことができる。
【００５１】
また、上記蓋体９の回動軸に対して略垂直な方向に関する外箱１の開口部６の長さＬ３が、蓋体９の回動軸に対して略垂直な方向に関する蓋体９の長さＬ１よりも長くなっているから、蓋体９の回動可能な角度を大きくできる。つまり、上記外部ドア７のいわゆる開寸法を大きくできる。
【００５２】
また、上記蓋体９が略楕円形状であるから、使用者が蓋体９から受ける圧迫感を少なくできる。
【００５３】
また、上記後ろ蓋１３が凹形状に形成されてシール部材１４の前端部を覆うから、水槽２の開口部８の閉鎖時における蓋体９の前方への突出量が小さくなる。したがって、製品の奥行きを小さくできる。
【００５４】
また、上記水槽２の開口部８の閉鎖時における蓋体９の前方への突出量が小さくなるので、外箱１の開口部６と水槽２の開口部８との間の距離が短くなる。したがって、使用者は回転ドラム３内の奥まで容易に手が届き、洗濯物の取り出しが簡単になる。
【００５５】
また、上記蓋体９の長さＬ２よりも上記蓋体９の長さＬ１を長くして、蓋体９の回動軸に対して略垂直な方向に関する蓋体９の一方の縁部にヒンジ部１５を設けるので、ヒンジ部１５の形状の自由度を向上できる。
【００５６】
また、上記蓋体９の長さＬ２よりも上記蓋体９の長さＬ１を長くして、蓋体９の回動軸に対して略垂直な方向に関する蓋体９の他方の縁部に取っ手１６およびラッチ部１７を設けるので、取っ手部１６およびラッチ部１７の形状の自由度を向上できる。
【００５７】
また、上記水槽２の開口部８の径方向外側にある高さｈのスペースに蓋ロック１８を配置するので、製品の奥行きが大きくなるのを防ぐことができる。
【００５８】
上記実施の形態では、略楕円形状の蓋体９を用いていたが、例えば略四角形状の蓋体を用いてもよい。言うまでもないが、上記蓋体の回動軸に対して略平行な方向に関する上記蓋体の長さは、上記蓋体の回動軸に対して略垂直な方向に関する上記蓋体の長さよりも短くする。
【００５９】
本発明は、乾燥機能を有しないドラム式洗濯機であっても、乾燥機能を有するドラム式洗濯機であっても適用できる。
【図面の簡単な説明】
【００６０】
【図１】図１は本発明の一実施の形態のドラム式洗濯機の概略縦断面図である。
【図２】図２は上記ドラム式洗濯機の水槽および蓋体の概略縦断面の端面図である。
【図３Ａ】図３Ａは上記ドラム式洗濯機の外箱の開口部の概略正面図である。
【図３Ｂ】図３Ｂは上記ドラム式洗濯機の前部の概略横断面の端面図である。
【図４】図４は従来のドラム式洗濯機の概略斜視図である。
【符号の説明】
【００６１】
１  外箱
２  水槽
３  回転ドラム
６  外箱の開口部
８  水槽の開口部
９  蓋体
１４  シール部材
１６  取っ手
１７  ラッチ部
１８  蓋ロック
Ｌ１  蓋体の回動軸に対して略垂直な方向に関する蓋体の長さ
Ｌ２  蓋体の回動軸に対して略平行な方向に関する蓋体の長さ
【図１】
2006223539.tif 000003
【図２】
2006223539.tif 000004
【図３Ａ】
2006223539.tif 000005
【図３Ｂ】
2006223539.tif 000006
【図４】
2006223539.tif 000007